(57)【要約】【課題】  重複して電力切断に使用できるヒューズレススイッチの提供。【解決手段】  本体の収容室内に位置決めピンで直列に接続された複合金属片、スペーサリング、波型バネ片、絶縁リング、Ｓ導電片、駆動スライドブロック、及び複数の極片が設けられ、更に一体にケース内に嵌入されてなり、波型バネ片の両端が収容室両側壁の位置決め溝に嵌止され、バネ片の押圧により前方の複合金属片の両側が収容室の位置決めブロックに当接して導電状態を呈し、高負荷により異常高温が発生する時、複合金属片が湾曲変形して波型バネ片が即刻電力切断の状態を呈して安全機能を達成する。【選択図】        図２
0003111937.tif 000002
【実用新案登録請求の範囲】
【請求項１】
本体の収容室内に位置決めピンで直列に接続された複合金属片、スペーサリング、波型バネ片、絶縁リング、Ｓ導電片、駆動スライドブロック、及び複数の極片が設けられ、更に一体にケース内に嵌入されてなるヒューズレススイッチであって、
本体の収容室に対向する二つの位置決めブロック及び対向する両側壁の位置決め溝が形成され、
複合金属片は、中央に穿孔が設けられて位置決めピンが通され、
スペーサリングは階段リング構造とされ、
波型バネ片は中央に隔離孔が設けられてスペーサリングの内階段環が嵌め込まれ、波型バネ片の両端は収容室の両側壁の位置決め溝に嵌止され、別に波型バネ片に凸片が設けられ、
絶縁リングは円環構造とされ、
Ｓ導電片は前後に孔が設けられて位置決めピンと極片との接続に供され、
駆動スライドブロックはその下方にスリットが設けられて波型バネ片の上方の凸片が嵌合され、
ケースは中空箱体とされ側面に溝孔が設けられて本体の嵌入に供され、
駆動スライドブロックが一体に複合金属片を押動し複合金属片の両側を位置決めブロックに当接させて導電状態を形成し、高負荷により異常高温が発生する時、複合金属片は湾曲変形を形成し、波型バネ片が即刻電力切断機能を現出することを特徴とする、ヒューズレススイッチ。
【考案の詳細な説明】
【技術分野】
【０００１】
本考案は一種のヒューズレススイッチに係り、特に、波型バネ片の両端が収容室両側壁の位置決め溝に嵌止され、バネ片の押圧により前方の複合金属片の両側が収容室の位置決めブロックに当接して導電状態を呈し、高負荷により異常高温が発生する時、複合金属片が湾曲変形して波型バネ片が即刻電力切断の状態に回復して安全機能を達成する、ヒューズレススイッチに関する。
【背景技術】
【０００２】
我々の日常生活には各種の電気製品が溢れ、生活に不可欠な必需品となっており、ほとんどの電気製品にはプラグが設けられてコンセントに接続され、使用前にはプラグがコンセントに挿入されて電源を導入する必要がある。安全性の考慮と過負荷が形成する損害を防止するため、プラグはコンセントから引き抜きにくいものとされる必要があり、また、経常的にプラグがコンセントに抜き差しされることで弛みを発生し導電不良の問題が発生する。また、抜き差し時の施力の不当により、プラグとコンセントに摩損が形成し、或いはブレードが露出して湿気により静電気を発生して危険を発生することがある。
【考案の開示】
【考案が解決しようとする課題】
【０００３】
本考案の主要な目的は、一種のヒューズレススイッチを提供することにあり、それは本体の収容室内に位置決めピンで複合金属片、スペーサリング、波型バネ片、絶縁リング、Ｓ導電片、駆動スライドブロック及び複数の極片が直列に接続され、これにより、ヒューズレススイッチの重複切断使用の安全効果が達成される。
【０００４】
本考案の次の目的は、一種のヒューズレススイッチを提供することにあり、それは波型バネ片の両端が収容室の両側壁の位置決め溝に嵌止され、バネ片に凸片が設けられて駆動スライドブロックを嵌合してケースより露出させるのに供され、これにより波型バネ片が反復伸長位置決め特性を具えて簡単操作を達成する。
【０００５】
本考案の別の目的は、一種のヒューズレススイッチを提供することにあり、それは複合金属片の前方両側に、収容室において二つの位置決めブロックが設けられ、バネ片が一体に複合金属片を押動して両側を位置決めブロックに当接させて導電状態を形成するのに供され、高負荷により異常高温が発生する時、複合金属片が湾曲変形して波型バネ片が回復して即刻電力切断の機能を達成し、これにより高い安全性を具えたヒューズレス重複電力切断使用の産業上の利用価値を達成する。
【課題を解決するための手段】
【０００６】
請求項１の考案は、本体の収容室内に位置決めピンで直列に接続された複合金属片、スペーサリング、波型バネ片、絶縁リング、Ｓ導電片、駆動スライドブロック、及び複数の極片が設けられ、更に一体にケース内に嵌入されてなるヒューズレススイッチであって、  本体の収容室に対向する二つの位置決めブロック及び対向する両側壁の位置決め溝が形成され、
複合金属片は、中央に穿孔が設けられて位置決めピンが通され、
スペーサリングは階段リング構造とされ、
波型バネ片は中央に隔離孔が設けられてスペーサリングの内階段環が嵌め込まれ、波型バネ片の両端は収容室の両側壁の位置決め溝に嵌止され、別に波型バネ片に凸片が設けられ、
絶縁リングは円環構造とされ、
Ｓ導電片は前後に孔が設けられて位置決めピンと極片との接続に供され、
駆動スライドブロックはその下方にスリットが設けられて波型バネ片の上方の凸片が嵌合され、
ケースは中空箱体とされ側面に溝孔が設けられて本体の嵌入に供され、
駆動スライドブロックが一体に複合金属片を押動し複合金属片の両側を位置決めブロックに当接させて導電状態を形成し、高負荷により異常高温が発生する時、複合金属片は湾曲変形を形成し、波型バネ片が即刻電力切断機能を現出することを特徴とする、ヒューズレススイッチとしている。
【考案の効果】
【０００７】
本考案のヒューズレススイッチは、波型バネ片の両端が収容室両側壁の位置決め溝に嵌止され、バネ片の押圧により前方の複合金属片の両側が収容室の位置決めブロックに当接して導電状態を呈し、高負荷により異常高温が発生する時、複合金属片が湾曲変形して波型バネ片が即刻電力切断の状態を呈して安全機能を達成する。
【考案を実施するための最良の形態】
【０００８】
図１から図３に示されるように、本考案のヒューズレススイッチは、本体１の収容室内に位置決めピン２で直列に接続された複合金属片３、スペーサリング４、波型バネ片５、絶縁リング６、Ｓ導電片７、駆動スライドブロック８、及び複数の極片Ａ、Ｂ、Ｃが設けられ、更に一体にケース９内に嵌入されてなる。そのうち、本体１の収容室には対向する二つの位置決めブロック１１３、１１３Ａ及び対向する両側壁の位置決め溝１１５、１１５Ａが形成されている。複合金属片３は、中央に穿孔３２が設けられて位置決めピン２が通される。スペーサリング４は階段リング構造とされる。波型バネ片５は中央に隔離孔５２が設けられてスペーサリングの内階段環が嵌め込まれ、波型バネ片５の両端は収容室の両側壁の位置決め溝１１５、１１５Ａに嵌止され、別に波型バネ片に凸片５８が設けられている。絶縁リング６は円環構造とされる。Ｓ導電片７は前後に孔が設けられて位置決めピン２と極片Ａとの接続に供される。駆動スライドブロック８はその下方にスリット８５が設けられて波型バネ片の上方の凸片５８が嵌合され、別に所定部分に極片Ｂ、Ｃが設けられる。ケース９は中空箱体とされ側面に溝孔９８が設けられて本体の嵌入に供される。
【０００９】
本実施例の操作は図４、５及び図６、７に示される。駆動スライドブロック８が一体に複合金属片５を押動し複合金属片の両側を位置決めブロック１１３、１１３Ａに当接させて導電状態を形成する。高負荷により異常高温が発生する時、複合金属片は湾曲変形を形成し、波型バネ片が即刻電力切断機能を現出し、これにより高い安全性のヒューズレススイッチを形成され、産業上の利用価値を提供する。
【００１０】
特に、図８は本考案の構造を直接一般の電気製品のプラグに変換したものであり、これにより高い安全性の電力切断防災機能を提供する。
【図面の簡単な説明】
【００１１】
【図１】本考案の実施例図である。
【図２】本考案の分解図である。
【図３】本考案の部分断面立体図である。
【図４】本考案の複合金属片の湾曲変形と回復の立体動作表示図である。
【図５】本考案の複合金属片の湾曲変形と回復の立体動作表示図である。
【図６】本考案の複合金属片の湾曲変形と回復の平面動作表示図である。
【図７】本考案の複合金属片の湾曲変形と回復の平面動作表示図である。
【図８】本考案の別の実施例図である。
【符号の説明】
【００１２】
１  本体
２  位置決めピン
３  複合金属片
４  スペーサリング
５  波型バネ片
６  絶縁リング
７  Ｓ導電片
８  駆動スライドブロック
Ａ、Ｂ、Ｃ  極片
９  ケース
１１３、１１３Ａ  位置決めブロック
１１５、１１５Ａ  位置決め溝
３２  穿孔
５２  隔離孔
５８  凸片
８５  スリット
９８  溝孔
【図１】
0003111937.tif 000003
【図２】
0003111937.tif 000004
【図３】
0003111937.tif 000005
【図４】
0003111937.tif 000006
【図５】
0003111937.tif 000007
【図６】
0003111937.tif 000008
【図７】
0003111937.tif 000009
【図８】
0003111937.tif 000010